(57)【要約】      （修正有）【課題】冷却装置を備えた保冷庫内に桐製の米櫃を収容し、汎用品である保冷庫を有効活用した保冷米櫃を提供する。【解決手段】米を収容可能な桐製の米櫃１５であって上端部に環状鍔部１９が設けられた米櫃１５と、保冷庫２とからなる保冷米櫃が設けられ、保冷庫２は、米櫃１５を収容可能な収容部と、この収容部の上面を開閉可能な蓋構造８と、収容部の少なくとも前後左右の側面に設けられた断熱層を含む側面部材及び底面部材と、収容部の下方の機器収容室１１に配設された冷却装置とを有する保冷庫２と、米櫃１５と保冷庫２との間に形成された冷却空間とを備え、冷却装置により冷却された冷却空間を介して収容部に収容された米櫃１５内の米を冷却状態にして保存可能にした。【選択図】図２
0003144052.tif 000002
【実用新案登録請求の範囲】
【請求項１】
米を収容可能な桐製の米櫃と、
前記米櫃を収容可能な収容部と、この収容部の上面を開閉可能な蓋構造と、前記収容部の少なくとも前後左右の側面に設けられた断熱層と、収容部の下方の機器収容室に配設された冷却装置とを有する保冷庫とを備え、
前記米櫃内に収容した米を冷却状態にして保存可能にしたことを特徴とする保冷米櫃。
【請求項２】
前記米櫃の上端部に外側に突出する環状鍔部が設けられ、
前記収容部内に米櫃を配置した状態において、前記環状鍔部が前記収容部の内壁面に当接もしくは近接し、前記米櫃と前記断熱層との間に冷却空間が形成されることを特徴とする請求項１に記載の保冷米櫃。
【請求項３】
前記米櫃は、その上面の約半分を塞ぐ上蓋と、この上蓋の下側に水平方向へスライド可能に設けられた下蓋とを含む蓋構造を備えたことを特徴とする請求項１又は２に記載の保冷米櫃。
【請求項４】
前記保冷庫の蓋構造は、前記収容部の上面の約半分を塞ぐ保冷上蓋と、この保冷上蓋の下側に水平方向へスライド可能に設けられた保冷下蓋とを備え、この保冷庫の蓋構造は保冷庫に取り外し可能に設けられたことを特徴とする請求項１〜３の何れかに記載の保冷米櫃。
【考案の詳細な説明】
【技術分野】
【０００１】
本考案は、保冷米櫃に関し、特に米を収容した桐製の米櫃を保冷庫内に収容して米を冷却状態にして保存可能にした保冷米櫃に関する。
【背景技術】
【０００２】
従来、食用の米を長期間貯蔵する為の種々の米櫃が実用化されている。一般的に普及している米櫃は、合成樹脂や薄鋼板などで製造された密封性の高い容器であるが、この形式の米櫃には、温度上昇を抑制したり、適当な湿気に維持する機能がないため、貯蔵する米を適切な温度と適切な湿度に維持することができない。そのため、保存中の米の食味が劣化してしまう虞がある。
【０００３】
ここで、外界の湿度の変化に適応するため桐材で構成された米櫃が実用化されている。例えば、特許文献１の総桐の米櫃において、米を蓄える漏斗状のホッパーと、米を計量し取り出す為の手動で前後に出し入れする引き出しと、計量した米を蓄えておく受け箱とを備え、この米櫃は全ての構成部品が桐材で構成されたものである。桐は、保存状況に応じて湿気を吸収・放出する調湿効果を有するので、米櫃の中の米が黴びたり乾燥し過ぎたりするのを防止する。また、桐には虫を寄せ付けない化学成分が多く含まれているので優れた防虫効果を有するものである。
【０００４】
ところで、米を鮮度良く保存する為には、低温で且つほぼ一定の湿度下で保存することが望まれる。しかし、高温多湿になると、調湿効果を有する桐製の米櫃であっても米の食味が落ちしてしまい、さらに米が腐敗したり、米に病虫害などが発生してしまう虞がある。
【０００５】
そこで、保冷機能を有する米櫃が既に実用化されている。例えば、特許文献２の冷却米櫃は、貯蔵物を収容する貯蔵室と、この貯蔵部を断熱する断熱箱体と、貯蔵部と断熱箱体との間に形成される循環空間と、この循環空間の空気を冷却するペルチェ素子からなる冷却装置と、循環空間の温度を検出する温度センサとを備え、冷却装置により循環空間を介して貯蔵室を間接的に冷却し、米を冷却して保存するものである。
【特許文献１】特開２００１−２３１６９７号公報
【特許文献２】特開２００７−３１５６３４号公報
【考案の開示】
【考案が解決しようとする課題】
【０００６】
しかし、特許文献２の米櫃における貯蔵部は、合成樹脂又は金属製のパネル部材で気密状に構成されるため、貯蔵部に貯蔵された米の湿度を調節可能には構成されていないから、過剰湿度状態で米を保存したり、過小湿度状態で米を保存したりことになる虞がある。  また、特許文献２の米櫃においては、特殊構造の専用の断熱箱体、貯蔵部、冷却装置などを主体にして構成してあるため、断熱箱体や冷却装置に安価な汎用品を採用することができず、製作費が高価になる。尚、特許文献１の総桐の米櫃は冷却機能を有していないので、高温多湿の場所を避ける為に設置場所が限定されてしまう。
【０００７】
本考案の目的は、冷却装置を備えた保冷庫内に桐製の米櫃を収容した保冷米櫃を提供すること、汎用品である保冷庫を有効活用した保冷米櫃を提供すること等である。
【課題を解決するための手段】
【０００８】
請求項１の保冷米櫃は、米を収容可能な桐製の米櫃と、前記米櫃を収容可能な収容部とこの収容部の上面を開閉可能な蓋構造と前記収容部の少なくとも前後左右の側面に設けられた断熱層と収容部の下方の機器収容室に配設された冷却装置とを有する保冷庫とを備え、前記米櫃内に収容した米を冷却状態にして保存可能にしたことを特徴としている。
【０００９】
この保冷米櫃における保冷庫には汎用品の保冷庫を採用するものとする。
この保冷米櫃において、米を収容可能な桐製の米櫃を、上面を開閉可能な蓋構造と少なくとも前後左右の側面に設けられた断熱層とで区画された保冷庫の収容部に収容し、この収容部の下方の機器収容室に配設された冷却装置により、米櫃内に収容した米を冷却状態にして保存する。
【００１０】
請求項２の保冷米櫃は、請求項１の考案において、前記米櫃の上端部に外側に突出する環状鍔部が設けられ、前記収容部内に米櫃を配置した状態において、前記環状鍔部が前記収容部の内壁面に当接もしくは近接し、前記米櫃と前記断熱層との間に冷却空間が形成されることを特徴としている。
【００１１】
請求項３の保冷米櫃は、請求項１又は２の考案において、前記米櫃は、その上面の約半分を塞ぐ上蓋と、この上蓋の下側に水平方向へスライド可能に設けられた下蓋とを含む蓋構造を備えたことを特徴としている。
【００１２】
請求項４の保冷米櫃は、請求項１〜３の何れかの考案において、前記保冷庫の蓋構造は、前記収容部の上面の約半分を塞ぐ保冷上蓋と、この保冷上蓋の下側に水平方向へスライド可能に設けられた保冷下蓋とを備え、この保冷庫の蓋構造は保冷庫に取り外し可能に設けられたことを特徴としている。
【考案の効果】
【００１３】
請求項１の考案によれば、米を収容可能な桐製の米櫃と、米櫃を収容可能な収容部とこの収容部の上面を開閉可能な蓋構造と収容部の少なくとも前後左右の側面に設けられた断熱層と収容部の下方の機器収容室に配設された冷却装置とを有する保冷庫とを備え、米櫃内に収容した米を冷却状態にして保存可能にしたので、保冷庫としては安価な汎用品の保冷庫を採用することができる。調湿効果と防虫効果とを有する桐製の米櫃を保冷庫の収容部に簡単に収容して、米を冷却状態にして保存することができるので、桐の特性を活かして米を最適な温度と湿度で保存することができる。
【００１４】
請求項２の考案によれば、米櫃の上端部に外側に突出する環状鍔部が設けられ、収容部内に米櫃を配置した状態において、環状鍔部が収容部の内壁面に当接もしくは近接し、米櫃と断熱層との間に冷却空間が形成されるので、この冷却空間により保冷庫の内壁面と米櫃の側面が直接接触しない。そのため、内壁面に付着する結露や水滴から桐製の米櫃を保護することにより、桐の調湿効果を確実に発揮させることができる。
【００１５】
また、冷却空間に冷気が満遍なく滞留する為に、米櫃内に収容された米を均等に冷却することができ、保冷庫の蓋構造を開閉しても、冷却空間は環状鍔部で閉塞されているので、冷却空間の冷気が外部に簡単に放出されずに冷却空間の温度を維持し、電力の消費を抑制することができる。さらに、環状鍔部により、米を貯蔵する際に米櫃と収容部の内壁面との隙間に米粒が侵入するのを防止するので、清掃などのメンテナンスが容易になる。
【００１６】
請求項３の考案によれば、米櫃は、その上面の約半分を塞ぐ上蓋と、この上蓋の下側に水平方向へスライド可能に設けられた下蓋とを含む蓋構造を備えたので、上蓋又は下蓋を水平方向にスライドすることで、米櫃を開閉することができる。
【００１７】
請求項４の考案によれば、保冷庫の蓋構造は、収容部の上面の約半分を塞ぐ保冷上蓋と、この保冷上蓋の下側に水平方向へスライド可能に設けられた保冷下蓋とを備え、この保冷庫の蓋構造は収容部に着脱可能に設けられたので、保冷上蓋又は保冷下蓋を水平方向へスライドすることで、保冷庫の収容部を開閉することができる。この蓋構造は保冷庫に取り外し可能に設けられたので、蓋構造を取り外して米櫃を容易に収容部に収容することができる。
【考案を実施するための最良の形態】
【００１８】
以下、本考案の保冷米櫃について実施例に基づいて説明する。
【実施例】
【００１９】
先ず、保冷米櫃１の構成について図に基づいて詳細に説明する。
図１〜図４に示すように、保冷米櫃１は、米櫃１５を収容し冷却可能な保冷庫２と、米を収容可能な桐製の米櫃１５とを備え、直方体状の外形に構成されている。この保冷米櫃１は、米櫃１５を保冷庫２に収容し、米櫃１５内に収容した米を冷却状態にして保存可能にしたものである。尚、図１の保冷庫２の面のうち電源入力部１１ａのある面を前面として説明する。
【００２０】
ここで、保冷庫２について説明する。
図３，図４に示すように、保冷庫２は、米櫃１５が収容される収容部４と、断熱層を有する側面部材５と底面部材６と、収容部４の上面に設けられた蓋構造８と、収容部４の下方の機器収容室１１と、機器収容室１１内に装備された冷却装置１３とを備えている。収容部４は、前後左右の側面部材５と底面部材６と蓋構造８とで区画された米櫃１５より僅かに大きいサイズの空間である。側面部材５と底面部材６は、発泡ウレタンや発泡スチロールなどの合成樹脂発泡体で構造され、その外表面には合成樹脂製の表皮層（図示略）が形成されている。蓋構造８は、夫々合成樹脂発泡体の表面に合成樹脂製の表皮層を形成してなる保冷上蓋８ａと保冷下蓋８ｂとを有し、保冷上蓋８ａと保冷下蓋８ｂの一方をスライドすることでこの収容部４を開閉するように構成されている。
【００２１】
４つの側面部材５により収容部４の前後左右の側面が構成され、底面部材６により収容部４の底面が構成され、４つの側面部材５と底面部材６とで収容部４の内壁面が形成されている。これら側面部材５と底面部材６を構成する合成樹脂製発泡体の内部には、冷却装置１３に接続された冷却パイプが収容部４を囲むように断熱層の内側に組み込まれており、この冷却パイプ内には冷却装置１１から低温状態の冷媒が循環供給される。
【００２２】
蓋構造８は、収容部４の上面を開閉する為のもので、保冷庫２の４つの側面部材５の上端部に取り外し可能に設けられている。この蓋構造８は、収容部４の上面の約半分を塞ぐ保冷上蓋８ａと、この保冷上蓋８ａの下側に水平方向へスライド可能に設けられた保冷下蓋８ｂとを備えている。収容部４を開く場合、保冷下蓋８ｂを保冷上蓋８ａの下にスライドさせて開くか、或いは、保冷上蓋８ａを保冷下蓋８ｂの上にスライドさせて収容部４を開く。保冷上蓋８ａは２つの把手部８ｃを備え、保冷下蓋８ｂは２つの把手部を備えている。
【００２３】
機器収容室１１は、収容部４の下方の底面部材６の下方に設けられている。この機器収容室１１の前面には、スイッチやコンセントなどを有する電源入力部１１ａが設けられ、図示外の電源コードを介して冷却装置１３に電力が供給される。保冷庫２の下端面には、４つの脚部１２が設けられている。
【００２４】
冷却装置１３は、代替フロン等の冷媒を採用した一般的冷却装置であって、機器収容室１１内に配設されている。この冷却装置１３により、４つの側面部材５と底面部材６に夫々組み込まれた冷却パイプに冷却状態の冷媒が供給され、その冷媒を循環させることで、後述する冷却空間２０を冷却でき、米櫃１５及び米櫃１５に収容された米を冷却状態にすることができる。
【００２５】
次に、米櫃１５について説明する。
図５，図６に示すように、米櫃１５には、米櫃本体１６と、４つの脚部１７と、蓋構造１８と、米櫃本体１６の上端部に形成された環状鍔部１９とを有する。この米櫃１５は、所定の厚さの桐製の板材で米を収容可能に構成され、保冷庫２の収容部４に収容可能である。この米櫃１５の上面は、蓋構造１８の上蓋１８ａと下蓋１８ｂの一方をスライドすることで開閉することができる。
【００２６】
蓋構造１８は、米櫃本体１６の上面に設けられ、その米櫃本体１６の上面の約半分を塞ぐ桐製の上蓋１８ａと、この上蓋１８ａの下側に水平方向へスライド可能に設けられた桐製の下蓋１８ｂとを備えている。上蓋１８ａは１つの把手部１８ｃを備え、下蓋１８ｂは１つの把手部１８ｃを有している。米櫃１５を開く場合は、下蓋１８ｂを上蓋１８ａの下にスライドさせて開くか、或いは、上蓋１８ａを下蓋１８ｂの上にスライドして米櫃１５を開く。
【００２７】
環状鍔部１９は、米櫃本体１８の上端部に外側に突出するように設けられ、保冷庫２の収容部４内に米櫃１５を配置した状態において、この環状鍔部１９が収容部４の側面部材５に当接もしくは近接することで、側面部材５と米櫃本体１５の側面との間に環状空間２０ａを形成する。脚部１７は、米櫃本体１６の下端面に４つ設けられ、米櫃本体１６の下端面と底面部材６との間に環状空間２０ａに連なる底部空間２０ｂを形成する。
【００２８】
ここで、冷却空間２０について説明する。
図３，４に示すように、冷却空間２０は、保冷庫２の側面部材５と米櫃本体１６の側面とで区画される環状空間２０ａと、底面部材６と米櫃本体１６の下端面とから区画される底部空間２０ｂとから一体的に構成される空間である。この冷却空間２０は、冷却装置１３により冷却パイプを介して満遍なく冷却され、この冷却空間２０に覆われるように配置されている米櫃１５と米櫃１５に収容されている米を均等に冷却する。
【００２９】
次に、この保冷米櫃１の作用及び効果について説明する。
先ず、保冷庫２に米櫃１５が収容されていない状態において、米櫃１５に米を収容する前に保冷庫２の蓋構造８を取り外し、収容部４に米櫃１５を収容する。その後、保冷庫２の蓋構造８を再び装着する。このとき、保冷庫２の保冷下蓋８ｂを保冷上蓋８ａの下にスライドし、米櫃１５の下蓋１８ｂを上蓋１８ａの下にスライドし、保冷庫２と米櫃１５を共に開いた状態にする。
【００３０】
次に、開いた状態の米櫃１５に米を収容する。その後下蓋１８ｂを上蓋１８ａの下からスライドして米櫃１５を閉じ、保冷下蓋８ｂを保冷上蓋８ａの下からスライドして保冷庫２を閉じる。その後、保冷庫２の電源入力部１１ａをＯＮし、冷却装置１３を作動させて冷却パイプに冷媒を供給して循環させ、冷却空間２０を冷却し、米櫃１５内に収容した米を冷却状態にして保存する。米を取り出す際は、保冷下蓋８ｂを保冷上蓋８ａの下にスライドし収容部４を開き、次に、米櫃１５の下蓋１８ｂを上蓋１８ａの下にスライドし米櫃１５を開き、米を取り出す。
【００３１】
このように、桐製の米櫃１５と、保冷庫２とを備え、この保冷庫２は、米櫃１５を収容可能な収容部４と、この収容部４の上面を開閉可能な蓋構造８と、収容部４の少なくとも前後左右の側面に設けられた断熱層からなる側面部材５と、底面部材６と、収容部の下方の機器収容室１１に配設された冷却装置１３とを有し、米櫃１５を保冷庫２の収容部４に収容し、米櫃１５内に収容した米を冷却状態にして保存可能にしたので、保冷庫２としては安価な汎用品の保冷庫を採用することができる。調湿効果と防虫効果とを有する桐製の米櫃１５を保冷庫２の収容部４に簡単に収容して、米を冷却状態で保存することができるので、桐の特性を活かしつつ米を最適な温度と湿度で保存することができる。保冷庫２としては、安価な汎用品を有効活用しているため、製作コスト的に非常に有利である。また、保冷庫２が故障しても米櫃１５だけを取り出し米を保存することができる。
【００３２】
米櫃１５の上端部に外側に突出する環状鍔部１９が設けられ、収容部４内に米櫃１５を配置した状態において、環状鍔部１９が収容部４の内壁面に当接もしくは近接し、米櫃１５と、側面部材５と底面部材６の断熱層７との間に冷却空間２０が形成されるので、この冷却空間２０により保冷庫２の内壁面と米櫃１５の外周面が直接接触しない。そのため、内壁面に付着する結露や水滴から桐製の米櫃１５を保護することができる上、桐特性の調湿効果が十分に発揮させることができる。
【００３３】
また、冷却空間２０に冷気が満遍なく滞留するため、米櫃１５内に収容された米を均等に冷却することができる。保冷庫２の蓋構造８を開閉しても、冷却空間２０は環状鍔部１９で閉塞されているので、冷気が外部に簡単に放出されずに冷却空間２０の温度を維持し、電力の消費を抑制することができる。さらに、環状鍔部１９により、米を貯蔵する際に米櫃１５と収容部４の内壁面との隙間に米粒が侵入するのを防止するので、清掃などのメンテナンスが容易になる。
【００３４】
米櫃１５は、その上面の約半分を塞ぐ上蓋１８ａと、この上蓋１８ａの下側に水平方向へスライド可能に設けられた下蓋１８ｂとを含む蓋構造１８を備えたので、上蓋１８ａ又は下蓋１８ｂを水平方向にスライドすることで、米櫃１５を開閉することができる。保冷庫２の蓋構造８は、収容部４の上面の約半分を塞ぐ保冷上蓋８ａと、この保冷上蓋８ａの下側に水平方向へスライド可能に設けられた保冷下蓋８ｂとを備えたので、保冷上蓋８ａ又は保冷下蓋８ｂを水平方向へスライドすることで、収容部４を開閉することができる。この蓋構造８は保冷庫２に取り外し可能に設けられたので、蓋構造８を取り外して米櫃１５を収容部４に容易に収容することができる。
【００３５】
前記実施例は、一例を示すものに過ぎず、当業者であれば、本考案の趣旨を逸脱することなく、前記実施例に種々の変更を付加した形態で実施可能である。
【図面の簡単な説明】
【００３６】
【図１】本考案の実施例１に係る保冷米櫃の斜視図である。
【図２】前記保冷米櫃の斜視図である。
【図３】保冷米櫃の一部切欠き縦断正面図である。
【図４】保冷米櫃の一部切欠き縦断側面図である。
【図５】米櫃の斜視図である。
【図６】米櫃の側面図である。
【符号の説明】
【００３７】
１         保冷米櫃
２         保冷庫
４         収容部
５         側面部材
６         底面部材
８         蓋構造
８ａ       保冷上蓋
８ｂ       保冷下蓋
１１       機器収容部
１３       冷却装置
１５       米櫃
１６       米櫃本体
１８       蓋構造
１８ａ     上蓋
１８ｂ     下蓋
１９       環状鍔部
２０       冷却空間
【図１】
0003144052.tif 000003
【図２】
0003144052.tif 000004
【図３】
0003144052.tif 000005
【図４】
0003144052.tif 000006
【図５】
0003144052.tif 000007
【図６】
0003144052.tif 000008